(57)【特許請求の範囲】
【請求項１】
地上波ディジタル放送を受信して符号化映像・音声データを取得するチューナと、
符号化映像・音声データをメモリカード又は内蔵メモリに格納する手段と、
メモリカード又は内蔵メモリから読み出した符号化映像・音声データ及びチューナから供給された符号化映像・音声データをデコードしてディスプレイ上に映像表示するとともに音声出力する手段と、
電話機能部と、
番組の視聴中に前記電話機能部で着信が生じたとき又は通話開始操作が行われたときに視聴中の番組の符号化映像・音声データを前記内蔵メモリに記録させる手段と、
通話終了後に追っかけ再生を要求する操作を受けたときには、前記内蔵メモリへの符号化映像・音声データの記録を続行しつつ、当該内蔵メモリから視聴番組の符号化映像・音声データを読み出して番組を再生する処理を行い、通話終了後、追っかけ再生を行う前に、追っかけ再生を要求しない操作を受けたときには、前記内蔵メモリへの符号化映像・音声データの記録を停止する処理を行う制御手段と、
を備えることを特徴とする携帯型視聴装置。
【発明の詳細な説明】
【０００１】
【産業上の利用分野】
この発明は、テレビの視聴等が行える携帯型視聴装置に関する。
【０００２】
【従来の技術】
従来より、携帯型のテレビジョン受信装置が提供されており、かかる装置は内蔵の小型チューナによって地上波アナログ放送を受信し、液晶表示パネルに受信映像を映し出すようになっている。また、近年においては、ＭＰＥＧ４（Ｍｏｖｉｎｇ  Ｐｉｃｔｕｒｅ  Ｅｘｐｅｒｔｓ  Ｇｒｏｕｐ４）に基づいた符号化映像データをメモリカードに記録し、このメモリカードを携帯型視聴装置のスロットに装填することにより、外出先でも録画映像を楽しむことができるようになっている。ＭＰＥＧ４に基づいた符号化映像データは、通常のテレビジョン放送による受信映像やハンディカメラで撮像した映像をＭＰＥＧ４エンコーダに通すことで得たり、或いは、インターネットを利用してダウンロードすることで得ることができる。
【０００３】
【発明が解決しようとする課題】
このように、映像の符号化技術の高度化や機器の小型化によって、外出先でも手軽に映像を楽しむことができるようになっているが、更に、使い勝手に優れた携帯型視聴装置が求められている。
【０００４】
この発明は、上記の事情に鑑み、使い勝手に優れた携帯型視聴装置を提供することを目的とする。
【０００５】
【課題を解決するための手段】
この発明の携帯型視聴装置は、上記の課題を解決するために、地上波ディジタル放送を受信して符号化映像・音声データを取得するチューナと、符号化映像・音声データをメモリカード又は内蔵メモリに格納する手段と、メモリカード又は内蔵メモリから読み出した符号化映像・音声データ及びチューナから供給された符号化映像・音声データをデコードしてディスプレイ上に映像表示するとともに音声出力する手段と、電話機能部と、番組の視聴中に電話機能部で着信が生じたとき又は通話開始操作が行われたときに視聴中の番組の符号化映像・音声データを内蔵メモリに記録させる手段と、通話終了後に追っかけ再生を要求する操作を受けたときには、内蔵メモリへの符号化映像・音声データの記録を続行しつつ、当該内蔵メモリから視聴番組の符号化映像・音声データを読み出して番組を再生する処理を行い、通話終了後に追っかけ再生を要求しない操作を受けたときには、内蔵メモリへの符号化映像・音声データの記録を停止する処理を行う制御手段と、を備えること特徴とする。
【０００６】
上記の構成であれば、電話による通話のために視聴中の番組で見られなかった部分が生じても、その部分については内蔵メモリへの録画処理が実行されていることになるので、後で視聴することが可能となる。
【０００８】
【発明の実施の形態】
以下、この発明の実施形態を図１乃至図４に基づいて説明する。
【０００９】
図１及び図２に示すように、据置型周辺装置１とこの実施形態の携帯型視聴装置２とによって放送視聴システムが構成される。このシステムでは、据置型周辺装置１がアナログ放送を受信し、この受信した放送をエンコードして得た符号化映像・音声データをスロット１０１に差し込まれたメモリカード３（例えばコンパクトフラッシュカード（商標）やマルチメディアカード（商標）等）に格納する。据置型周辺装置１の本体部１ａは縦長にデザインされており、その下部には脚部１ｂを有し、転倒防止が図られている。また、据置型周辺装置１には電源ボタン及び視聴に関する操作ボタン（プレイ／ポーズ、ストップ、送り）は設けられているが、チャンネル選択のための操作ボタン類は設けられていない。そして、据置型周辺装置１の本体部１ａにおける手前側には、収容凹部１ｃが形成されており、この収容凹部１ｃに携帯型視聴装置２を差し込んで装着することができる。この装着状態で携帯型視聴装置２は据置型周辺装置１から充電を受けるようになっている。
【００１０】
携帯型視聴装置２は、略方形状で偏平な形状を有しており、電池駆動される構成となっている。携帯型視聴装置２は、チューナー２３０によって地上波ディジタル放送を受信し、映像を液晶表示パネル２０２上に映し出すとともに、音声をイヤホン２０３から出力する。また、スロット２０１に差し込まれたメモリカード３から符号化映像・音声データを読み出し、映像を液晶表示パネル２０２上に映し出すとともに、音声をイヤホン２０３から出力する。液晶表示パネル２０２上にはタッチパネル２１１が貼られており、タッチペン等によってパネル操作を行って所望の指示を与えることができる。なお、視聴に関する操作ボタン（プレイ／ポーズ、ストップ、送り、音量等）については、筐体部に設けている。
【００１１】
以下、これら据置型周辺装置１と携帯型視聴装置２の回路構成を、図３に基づいて詳しく説明していく。
【００１２】
まず、据置型周辺装置１について説明していく。チューナ１０２は、アナログ放送を受信し、この放送受信信号を出力する。チューナ１０２の起動指令や任意の放送を受信するための選局情報（チャンネル情報）は、Ｉ／Ｏ（インプット／アウトプット）回路１０３及びシステムバス１０４を介してＣＰＵ１１０から与えられる。ＣＰＵ１１０は、ユーザによる選局指令情報（指定チャンネル情報、指定時間情報など）を、システムバス１０４、ＰＣＭＣＩＡインターフェイス１０５、及びスロット１０１を介して前記メモリカード３から受け取る。スイッチ１０６は、前記放送受信信号を入力する入力部と外部信号を入力する入力部とを有し、いずれかの信号を選択してＡ／Ｄ変換回路１０７に供給する。
【００１３】
Ａ／Ｄ変換回路１０７は、アナログ信号をディジタル信号に変換してＭＰＥＧ４（Ｍｏｖｉｎｇ  Ｐｉｃｔｕｒｅ  Ｅｘｐｅｒｔｓ  Ｇｒｏｕｐ４）エンコーダ１０８に供給する。ＭＰＥＧ４エンコーダ１０８は、ＭＰＥＧ４に従い、例えば、映像中の背景や背景中の人物を各々オブジェクトとして個別に記述し、この任意形状の各オブジェクトを取り扱うために形状情報を付加すると共にＭＰＥＧ２と同様にＤＣＴ処理や動きベクトル処理等を行ってビデオパケットを生成し、これを連続させたビットストリームを出力する。音声についても所定の符号化を行い、この音声符号化データを上記ビットストリームに組み込む。ＳＤＲＡＭ１０９は、ＭＰＥＧ４エンコーダ１０８の上記処理において利用される。
【００１４】
ＭＰＥＧ４エンコーダ１０８が出力したビットストリーム（符号化映像・音声データ）は、システムバス１０４、ＰＣＭＣＩＡインターフェイス１０５、及びスロット１０１を介して前記メモリカード３に格納される。
【００１５】
スロット１０１及びＰＣＭＣＩＡインターフェイス１０５のセットは、二組設けられている。スロット１０１には、上記メモリカード３の他、ＰＨＳデータカード４等を装着することができる。
【００１６】
充電回路１１３は、商用電源からの交流を直流化する回路等を有して成り、図１に示すごとく携帯型視聴装置２が据置型周辺装置１に装着されたとき、図示しない充電端子部を介して携帯型視聴装置２への充電電力供給を行う。
【００１７】
ＣＰＵ１１０は、上述したチューナ１０２の動作制御やＭＰＥＧ４エンコーダ１０８の出力をメモリカード３に格納する処理（録画処理）を行う他、スロット１０１にＰＨＳデータカード４が装着された場合のデータ送受信、このデータに基づく各機能部の制御、ＦｌａｓｈＲＯＭ１１１やＤＲＡＭ１１２のリード／ライト制御なども行うようになっている。
【００１８】
次に、携帯型視聴装置２を説明していく。メモリカード３に格納されているＭＰＥＧ４ビットストリームデータ（符号化映像・音声データ）は、ＰＣＭＣＩＡインターフェイス２２０、及びシステムバス２１３を経てＭＰＥＧ４デコーダ２０４に供給される。また、内蔵メモリであるＳＤＲＡＭ２１９に格納されているＭＰＥＧ４ビットストリームデータは、システムバス２１３を経てＭＰＥＧ４デコーダ２０４に供給される。そして、地上波ディジタル放送を受信するチューナ２３０は、この地上波ディジタル放送で放送されるＭＰＥＧ４のビットストリームデータを取り出し、ＭＰＥＧ４デコーダ２０４に与えたり、メモリカード３やＳＤＲＡＭ２１９への記録のためにシステムバス２１３に供給したりする。ＭＰＥＧ４デコーダ２０４は、ビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５は、ＣＰＵ２０９から出力指示された文字等（操作ボタン、メニュー画面、地上波ディジタル放送から取得した番組情報によるＥＰＧ画面等）を液晶表示パネル２０２に表示する処理も行う。オーディオデコーダ２０６は、ビットストリーム中の音声符号データをＭＰＥＧ４デコーダ２０４から受け取り、復号して音声データを生成する。ＳＤＲＡＭ２１０は、ＭＰＥＧ４デコーダ２０４の上記処理において利用される。
【００１９】
ＬＣＤコントローラ２０７は、グラフィックスコントローラ２０５から供給された映像データに基づいて液晶表示パネル２０２を駆動する。Ｄ／Ａ変換器２０８は、オーディオデコーダ２０６から出力された音声データを受け取ってＤ／Ａ変換を行い、右（Ｒ）音のアナログ信号および左（Ｌ）音のアナログ信号を生成してイヤホン２０３に与える。
【００２０】
タッチパネル２１１に対する操作情報は、専用インターフェイス２１２、及びシステムバス２１３を介してＣＰＵ２０９に与えられる。ＣＰＵ２０９は上記操作情報と液晶表示パネル２０２上の操作ボタン等の表示との対応によって指令内容を把握して必要な処理を実行する。
【００２１】
本体キー２１４は先述した視聴に関する操作ボタン（プレイ／ポーズ、ストップ、送り）に相当する。この本体キー２１４に対する操作情報は、インターフェイス２１５、及びシステムバス２１３を介してＣＰＵ２０９に与えられる。ＣＰＵ２０９は上記操作情報に基づいて必要な処理を実行する。
【００２２】
また、無線ネットワークを可能にするために、通信ブロック２１６及びインターフェイス（例えば、Bluetooth （商標）など）２１７が設けられている。更に、ＦｌａｓｈＲＯＭ２１８やＳＤＲＡＭ２１９も備える。電池２２１は二次電池であり、据置型周辺装置１から電力の供給を得てこれを蓄える。携帯電話部２３１は、通常の電話のために用いることとしている。
【００２３】
ＣＰＵ２０９は、無線ネットワークのための処理、スロット２０１にＰＨＳデータカード４が装着された場合のデータ送受信、受信データに基づく各機能部の制御、ＦｌａｓｈＲＯＭ２１８やＳＤＲＡＭ２１９のリード／ライト制御なども行うようになっている。更に、ユーザがタッチパネル２１１等を用いて受信番組指定（チャンネル及び時刻指定）を行ったときには、その情報をメモリカード３に格納する処理を行うようになっている。
【００２４】
上記ＣＰＵ２０９による処理を更に説明していく。スロット２０１にＰＨＳデータカード４を装着することで、電子メールやインターネットを利用したページ閲覧等が行えるようになっている。従って、かかる携帯型視聴装置をテレビ視聴や映像再生機として使う他に、ネット端末として利用できる。また、ＰＨＳデータカード４を用いて通話を行うことが可能であり、このような場合には携帯電話部２３１を不要とすることができる。
【００２５】
図４は番組視聴中に電話がかかってきたときの処理を示したフローチャートである。ＣＰＵ２０９は番組視聴処理中において前記携帯電話部２３１で着信が生じたかどうかを判断している（ステップＳ１）。着信があるときは、着信メロディーを鳴動し（ステップＳ２）、通話開始操作がなされたかどうかを判断する（ステップＳ３）。通話が開始されたときは、追っかけ再生中かどうかを判断し（ステップＳ４）、追っかけ再生中でなければ視聴中の番組の符号化映像・音声データをＳＤＲＡＭ２１９に録画する処理を開始する（ステップＳ５）。追っかけ再生中であった場合は既に録画処理が実行されており、その再生のみを中断し（ステップＳ１２）、ステップＳ６に進む。ステップＳ６で通話終了と判断したときは、例えば「追っかけ再生しますか」のメッセージ及び「はい」「いいえ」のボタンを液晶表示パネル２０２表示する（ステップＳ７）。ユーザによって追っかけ再生が選択されたときは、視聴中の番組の符号化映像・音声データを上記ＳＤＲＡＭ２１９に記録する処理を続行しつつ当該ＳＤＲＡＭ２１９から符号化映像・音声データを読み出し、デコードして番組再生を行う（ステップＳ９）。なお、ステップＳ５を経る場合は録画開始時より再生を開始し、ステップＳ１２を経る場合は再生を中断した時より再生を開始する。一方、ユーザによって追っかけ再生が選択されなかったときは、録画処理を停止し、チューナ２３０からの符号化映像・音声データをＭＰＥＧ４デコーダ２０４に供給して通常の放送視聴処理を実行する（ステップＳ１０）。そして、番組視聴を終了する処理がなされたかどうかを判断し（ステップＳ１１）。終了処理がなされたときには終了する。
【００２６】
このように、電話による通話のために視聴中の番組で見られなかった部分が生じても、その部分についてはＳＤＲＡＭ２１９への録画処理が実行されており、通話終了後に上記見られなかった部分から追っかけて番組を視聴していくことができる。
【００２７】
上記の処理では通話開始を契機にして内蔵メモリへの録画を開始したが、着信を契機に録画を開始するようにしてもよい。また、メッセージを表示して追っかけ再生をするかどうかをユーザに問うこととしたが、予め追っかけ再生をすることに設定されていた場合には、上記メッセージを表示せずに自動的に追っかけ再生処理を実行するようにしてもよいものである。また、録画を開始するときに内蔵メモリの残量を検出し、残量が少ないと判断したときに「追っかけ機能を実行できません」といったメッセージを表示するようにしてもよい。
【００２８】
なお、図示はしていないが、据置型周辺装置１にも携帯型視聴装置２に設けてある通信ブロック２１６及びインターフェイス（例えば、Bluetooth （商標）など）２１７と同規格の通信ブロック及びインターフェイスを設け、据置型周辺装置１と携帯型視聴装置２との間で無線ネットワークが行えるようにしてもよい。これによれば、携帯型視聴装置２から選局情報を無線ネットワークで据置型周辺装置１に与えることもできる。また、このような無線ネットワークによって、据置型周辺装置１からＭＰＥＧ４によるビットストリームデータを携帯型視聴装置２に送信することができ、これによれば、携帯型視聴装置２を用いて現在放送中のアナログ放送の映像をリアルタイムで視ることができる。なお、据置型周辺装置１と携帯型視聴装置２とを有線ネットワークによって接続することとし、上記と同様に選局情報やビットストリームデータの送出を行うこととしてもよい。また、据置型周辺装置１からＭＰＥＧ４によるビットストリームデータを携帯型視聴装置２に送ることに代えて、据置型周辺装置１からコンポジット映像信号（コンポーネント映像信号でもよい）をＡＶ端子（或いは、Ｓ端子やＤ端子など）経由で携帯型視聴装置２に送出するようにしてもよい。
【００２９】
据置型周辺装置１の収容凹部１ｃに携帯型視聴装置２を装着した状態で放送をリアルタイムに視聴することとし、図１に示したごとく、携帯型視聴装置２の操作ボタンが据置型周辺装置１によって隠されるとする場合は、据置型周辺装置１には当該操作ボタンと同じように操作ボタンを配することとし、この据置型周辺装置１側で携帯型視聴装置２を操作することができるようにしてもよい。据置型周辺装置１の操作ボタンに対する操作情報は、無線ネットワークや有線又は有線ネットワークを用いて携帯型視聴装置２側へ送出することができる。また、据置型周辺装置１にスピーカを備えてもよく、受信放送の音声は据置型周辺装置１のスピーカから出力し、映像は携帯型視聴装置２の液晶表示パネル２０２で表示するといった形態を採ることができるようにしてもよい。
【００３０】
【発明の効果】
以上説明したように、この発明によれば、内蔵電話による通話のために視聴中の番組で見られなかった部分が生じても、その部分については内蔵メモリへの録画処理が実行されており、通話終了後に上記見られなかった部分から追っかけて番組を視聴していくことができるという効果を奏する。
【図面の簡単な説明】
【図１】この発明の実施形態の携帯型視聴装置と据置型周辺装置との装着状態を示した外観斜視図である。
【図２】この発明の実施形態の携帯型視聴装置の外観斜視図である。
【図３】この発明の実施形態の携帯型視聴装置及び据置型周辺装置の構成を示したブロック図である。
【図４】この発明の実施形態の携帯型視聴装置の番組視聴中に電話で通話を行ったときの追っかけ再生処理を示したフローチャートである。
【符号の説明】
１        据置型周辺装置
１０２    チューナ
１０８    ＭＰＥＧ４エンコーダ
１１３    充電回路
２        携帯型視聴装置
２０２    液晶表示パネル
２０４    ＭＰＥＧ４デコーダ
２１９    ＳＤＲＡＭ
２３０    地上波ディジタルチューナ
２３１    携帯電話部
３        メモリカード
４        ＰＨＳデータカード
【図１】
0004182257.tif 000002
【図２】
0004182257.tif 000003
【図３】
0004182257.tif 000004
【図４】
0004182257.tif 000005